(57)【特許請求の範囲】
【請求項１】
ベースと、レールと、結合フレームとを備え、該レールは、ベースの前面に設けられ、該ベースの前面に２つのアームがそれぞれ相対するように延設され、該結合フレームは、ベースの後面に設けられ、ベースと反対する側に幅Ｗを有すると共に、両端を貫通するように連通穴が形成され、後面を貫通するように開口が形成され、該開口の幅Ｍが結合フレームの幅Ｗより小さいレールプレートと、
それぞれ摺動可能にレールプレートのレールに取り付けられ、フック部及び挟持部を備え、該フック部は、摺動可能にレールのアームに取り付けられ、該挟持部は、フック部のレールと反対する前側に延設される少なくとも１つの保持部材と、
それぞれレールプレートの連通穴の近傍に組み合わせられ、磁性座及び２つの位置決め座を備え、該磁性座は、磁性吸着によってレールプレートの結合フレームに吸着され、本体及び２つの凸縁を備え、該本体は、結合フレームの一側の連通穴を通ってレールプレートの結合フレームに取り付けられ、該凸縁は、本体の両側に延設され、幅Ｅを有し、それぞれ磁性座の両側に位置すると共に、磁性座と当接するように結合フレームに締め付けられ、該各位置決め座は、位置決め溝及び突出部を備え、該位置決め溝は、位置決め座の両側を貫通するように形成され、磁性座の一側の凸縁と嵌合され、該凸縁の幅Ｅより広い幅Ｇを有し、該突出部は、位置決め座の外側面に設けられ、結合フレームの開口に向かって延設され、開口の幅Ｍと同じかそれより小さい幅Ｐを有する少なくとも２つの磁着部材とを有することを特徴とする磁性吸着式手工具ホルダ。
【請求項２】
前記挟持部は、延出部、位置決め柱及びフックを有し、該延出部は、フック部の前面から前方へ向かって延設されると共に、該位置決め柱は、延出部の上面から上方へ向かって延設され、該フックは、延出部の下方に位置するように、フック部の前面に延設されることを特徴とする請求項１に記載の磁性吸着式手工具ホルダ。
【請求項３】
前記挟持部におけるフック部の前面に掛止リブが延設されることを特徴とする請求項１に記載の磁性吸着式手工具ホルダ。
【請求項４】
前記挟持部は、挿設穴、挿設凹部、及び結合溝を有し、該挿設穴は、挟持部の上面及び下面を貫通するように形成され、該挿設凹部は、挿設穴と連通して挟持部の上面及び下面を貫通するように形成され、該結合溝は、挟持部の上面、下面、前面を貫通すると共に、挿設穴と連通するように、挿設穴と反対する側に形成されることを特徴とする請求項１に記載の磁性吸着式手工具ホルダ。
【請求項５】
前記挟持部は、挿設穴、結合溝、及び２つの凹み部を有し、そのうち挿設穴が挟持部の上面及び下面を貫通するように形成され、該結合溝が挿設穴と連通して挟持部の上面及び下面を貫通するように形成され、該凹み部がそれぞれ弧状を呈し、挟持部の両側に形成されることにより、挟持部を弾性変形可能とすることを特徴とする請求項１に記載の磁性吸着式手工具ホルダ。
【請求項６】
前記レールにおける２つのアームの間に貫通溝が形成され、
前記保持部材は、１対の挟持部材からなり、該各挟持部材は、フック部及び挟持部を備え、該フック部は、摺動可能にレールのアームに取り付けられ、該挟持部は、フック部の前面に延設され、爪部、側板、締め部材、及び挟み板を備え、該爪部は、他方の爪部と対向するように、挟持部の内面に形成され、該側板は、挟持部の前端に横方向へ向かって延設され、該締め部材は、側板を通過してレールのアームの間に位置するように貫通溝に挿入され、該挟み板は、レールの貫通溝に嵌合して締め部材と結合することにより、挟持部材をそれぞれレールのアームに固定することを特徴とする請求項１に記載の磁性吸着式手工具ホルダ。
【発明の詳細な説明】
【技術分野】
【０００１】
本発明は、特にファスナーなどの部品を用いなくても、磁性吸着によって簡単にツールワゴンまたはツールボートに掛止することができる手工具ホルダに関するものである。
【背景技術】
【０００２】
既存の手工具ホルダは、レールプレート及び複数の挟持部品を有し、その内、該レールプレートは、ベースと、レールと、２つの吊り穴とを備え、該ベースは細長状を呈し、該レールはベースの前面に凸設され、該吊り穴はベースの両側に形成される。また、手工具ホルダを装着する時は、ボルトやフックなどのファスナーが吊り穴を通過して手工具ホルダをツールワゴンまたはツールボートに掛止させ、それらの挟持部品が摺動可能にレールに取り付けられることによって、手工具を挟持部材に掛止しても摺動することができる。
【先行技術文献】
【特許文献】
【０００３】
【特許文献１】米国第１２/６９８，３２５号
【特許文献２】米国第１２/７０１，７７６号
【発明の概要】
【発明が解決しようとする課題】
【０００４】
既存の手工具ホルダは、手工具を掛止することはできるが、ファスナーがなくてはツールワゴンまたはツールボートに掛止することができないので、使用上非常に不便であった。
【課題を解決するための手段】
【０００５】
本発明に係る磁性吸着式手工具ホルダは、ベースと、レールと、結合フレームとを備え、該レールは、ベースの前面に設けられ、該ベースの前面に２つのアームがそれぞれ相対するように延設され、該結合フレームは、ベースの後面に設けられ、ベースと反対する側に幅Ｗを有すると共に、両端を貫通するように連通穴が形成され、後面を貫通するように開口が形成され、該開口の幅Ｍが結合フレームの幅Ｗより小さいレールプレートと、
それぞれ摺動可能にレールプレートのレールに取り付けられ、フック部及び挟持部を備え、該フック部は、摺動可能にレールのアームに取り付けられ、該挟持部は、フック部のレールと反対する前側に延設される少なくとも１つの保持部材と、
それぞれレールプレートの連通穴の近傍に組み合わせられ、磁性座及び２つの位置決め座を備え、該磁性座は、磁性吸着によってレールプレートの結合フレームに吸着され、本体及び２つの凸縁を備え、該本体は、結合フレームの一側の連通穴を通ってレールプレートの結合フレームに取り付けられ、該凸縁は、本体の両側に延設され、幅Ｅを有し、それぞれ磁性座の両側に位置すると共に、磁性座と当接するように結合フレームに締め付けられ、該各位置決め座は、位置決め溝及び突出部を備え、該位置決め溝は、位置決め座の両側を貫通するように形成され、磁性座の一側の凸縁と嵌合され、該凸縁の幅Ｅより広い幅Ｇを有し、該突出部は、位置決め座の外側面に設けられ、結合フレームの開口に向かって延設され、開口の幅Ｍと同じかそれより小さい幅Ｐを有する少なくとも２つの磁着部材とを有するものである。
【０００６】
かかる磁性吸着式手工具ホルダにおいて、前記挟持部は、延出部、位置決め柱及びフックを有し、該延出部は、フック部の前面から前方へ向かって延設されると共に、該位置決め柱は、延出部の上面から上方へ向かって延設され、該フックは、延出部の下方に位置するように、フック部の前面に延設されることが好ましい。
【０００７】
かかる磁性吸着式手工具ホルダにおいて、前記挟持部におけるフック部の前面に掛止リブが延設されることが好ましい。
【０００８】
かかる磁性吸着式手工具ホルダにおいて、前記挟持部は、挿設穴、挿設凹部、及び結合溝を有し、該挿設穴は、挟持部の上面及び下面を貫通するように形成され、該挿設凹部は、挿設穴と連通して挟持部の上面及び下面を貫通するように形成され、該結合溝は、挟持部の上面、下面、前面を貫通すると共に、挿設穴と連通するように、挿設穴と反対する側に形成されることが好ましい。
【０００９】
かかる磁性吸着式手工具ホルダにおいて、前記挟持部は、挿設穴、結合溝、及び２つの凹み部を有し、そのうち挿設穴が挟持部の上面及び下面を貫通するように形成され、該結合溝が挿設穴と連通して挟持部の上面及び下面を貫通するように形成され、該凹み部がそれぞれ弧状を呈し、挟持部の両側に形成されることにより、挟持部を弾性変形可能とすることが好ましい。
【００１０】
かかる磁性吸着式手工具ホルダにおいて、前記レールにおける２つのアームの間に貫通溝が形成され、
前記保持部材は、１対の挟持部材からなり、該各挟持部材は、フック部及び挟持部を備え、該フック部は、摺動可能にレールのアームに取り付けられ、該挟持部は、フック部の前面に延設され、爪部、側板、締め部材、及び挟み板を備え、該爪部は、他方の爪部と対向するように、挟持部の内面に形成され、該側板は、挟持部の前端に横方向へ向かって延設され、該締め部材は、側板を通過してレールのアームの間に位置するように貫通溝に挿入され、該挟み板は、レールの貫通溝に嵌合して締め部材と結合することにより、挟持部材をそれぞれレールのアームに固定することが好ましい。
【発明の効果】
【００１１】
上述した本発明に係る磁性吸着式手工具ホルダ構造によれば、使用者がスリーブや、レンチ、ドライバ、ラチェットレンチなどの様々な手工具を保持部材に掛止して収納することができ、また、本発明は、磁着部材を有することから、手工具ホルダを磁着部材によって簡単にツールワゴンやツールボードに吸着させて掛止することができるので、ツールワゴンやツールボードに放置して収納する空間が不要で収納空間を節約することができる。
【図面の簡単な説明】
【００１２】
【図１】本発明の前面視斜視図である。
【図２】本発明の後面視斜視図である。
【図３】本発明の他の後面視斜視図である。
【図４】本発明の部分分解後面視斜視図である。
【図４Ａ】本発明の部分拡大分解後面視斜視図である。
【図５】図３の５−５の部分拡大側面視平面図である。
【図６】図３の６−６の部分拡大側面視平面図である。
【図７】本発明に様々な手工具を掛止した状態を示す説明図である。
【図８】本発明の磁性吸着式手工具ホルダをツールボートに掛止した状態を示す説明図である。
【発明を実施するための形態】
【００１３】
以下、添付図面を参照して本発明の適切な実施の形態を詳細に説明する。
【００１４】
図１乃至図４Ａに示すように、本発明に係る磁性吸着式手工具ホルダは、レールプレート１０と、少なくとも１つの保持部材２０と、少なくとも２つの磁着部材３０とを有する。
【００１５】
前記レールプレート１０は、アルミ押出材からなる細長状のプレートであり、ベース１１と、レール１２と、結合フレーム１３とを有し、そのうちベース１１は細長状を呈し、該レール１２はベース１１の前面に設けられ、２つのアーム１２１を備え、相対するようにベース１１の前面にそれぞれアーム１２１が延設され、該アーム１２１の間に貫通溝１２２が形成される。
図４乃至図５に示すように、前記結合フレーム１３は、ベース１１の後面に設けられ、幅Ｗを有すると共に、結合フレーム１３の両端を貫通するように連通穴１３１が形成され、結合フレーム１３の後面を貫通するように開口１３２が形成され、該開口１３２の幅Ｍは、結合フレーム１３におけるベース１１と反対する側の幅Ｗより小さく、すなわち、Ｍ＜Ｗである。
【００１６】
図１及び図２に示すように、前記少なくとも１つの保持部材２０は、摺動可能にレールプレート１０のレール１２に取り付けられ、該各保持部材２０は、フック部２１及び挟持部２２を備え、そのうちフック部２１は、摺動可能にレール１２のアーム１２１に取り付けられ、該挟持部２２は、フック部２１のレール１２と反対する前側に延設され、手工具の種類によって様々なタイプを有することが好ましい。
【００１７】
本発明の第一実施例においては、挟持部２２が延出部２３１及び位置決め柱２３２を有し、該延出部２３１は、フック部２１の前面から前方へ向かって延設され、該位置決め柱２３２は、延出部２３１の上面から上方へ向かって延設されるので、図７に示すようにスリーブ４０を掛止させることができる。
一方、本発明の第二実施例においては、挟持部２２におけるフック部２１の前面に掛止リブ２４が延設されるので、図７に示すようにレンチ５０を掛止させることができる。
また、本発明の第三実施例においては、挟持部２２が延出部２５１と、位置決め柱２５２と、フック２５３とを備え、該延出部２５１は、フック部２１の前面から前方へ向かって延設され、該位置決め柱２５２は、延出部２５１の上面から上方へ向かって延設されるので、図７に示すようにスリーブ４０を掛止させることができ、該フック２５３は、延出部２５１の下方に位置するように、フック部２１の前面から延設されるので、図７に示すようにレンチ５０を掛止させることができる。
【００１８】
また、本発明の第四実施例においては、挟持部２２が、挿設穴２６１と、挿設凹部２６２と、結合溝２６３とを備え、そのうち挿設穴２６１は、挟持部２２の上面及び下面を貫通するように形成されるので、図７に示すように、ドライバー６０の首部６１を挿設させることができ、該挿設凹部２６２は、挿設穴２６１と連通して挟持部２２の上面及び下面を貫通するように形成され、該結合溝２６３は、挟持部２２の上面、下面、前面を貫通すると共に、挿設穴２６１と連通するように、挿設穴２６１と反対する側に形成される。
また、本発明の第五実施例においては、挟持部２２が、挿設穴２７１と、結合溝２７２と、２つの凹み部２７３とを備え、そのうち挿設穴２７１は、挟持部２２の上面及び下面を貫通するように形成され、該結合溝２７２は、挿設穴２７１と連通して挟持部２２の上面及び下面を貫通するように形成され、該凹み部２７３はそれぞれ弧状を呈し、挟持部２２の両側に形成されるので、挟持部２２は弾性変形可能である。
【００１９】
また、本発明の第六実施例においては、保持部材２０が、１対の挟持部材からなり、該各挟持部材は、フック部２１及び挟持部２２を備え、該フック部２１は、摺動可能にレール１２のアーム１２１に取り付けられ、該挟持部２２は、フック部２１の前面に延設され、爪部２８１と、側板２８２と、締め部材２８３と、挟み板２８４とを備え、該爪部２８１は、他方の爪部２８１と対向するように、挟持部２２の内面に形成され、該側板２８２は、挟持部２２の前端に横方向へ向かって延設され、該側板２８２の幅は挟持部２２の幅より広く、該締め部材２８３は、側板２８２を通過してレール１２のアーム１２１の間に位置するように貫通溝１２２に挿入され、該挟み板２８４は、レール１２の貫通溝１２２に嵌合して締め部材２８３と結合する。この構成によれば、挟持部材はそれぞれレール１２のアーム１２１に固定されるので、図７に示すように、爪部２８１により、ラチェットレンチ７０を保持部材２０の間に挟持させることができる。
【００２０】
図４乃至図６に示すように、前記少なくとも２つの磁着部材３０は、レールプレート１０と組み合わせられ、該各磁着部材３０は、磁性座３１及び２つの位置決め座３２を備え、そのうち磁性座３１は金属からなり、磁性吸着によってレールプレート１０の結合フレーム１３に吸着され、本体３１１及び２つの凸縁３１２を備え、該本体３１１は、結合フレーム１３の一側の連通穴１３１を通ってレールプレート１０の結合フレーム１３に取り付けられ、該凸縁３１２は、本体３１１の両側に延設され、幅Ｅを有し、該２つの位置決め座３２は、磁性座３１の両側に位置すると共に、それぞれ磁性座３１と当接するように結合フレーム１３に締め付けられ、位置決め溝３２１及び突出部３２２を備え、該位置決め溝３２１は、位置決め座３２の両側を貫通するように形成され、磁性座３１の一側の凸縁３１２に組み合わされ、凸縁３１２の幅Ｅより広い幅Ｇを有し、すなわち、Ｇ＞Ｅであり、その２つの位置決め座３２が位置決め溝３２１を介して磁性座３１の両側の凸縁３１２に組み合わされることによって、磁性座３１が結合フレーム１３に結合される。また、該突出部３２２は、位置決め座３２の外側面に設けられ、結合フレーム１３の開口１３２に向かって延設され、開口１３２の幅Ｍと同じかそれより小さい幅Ｐを有し、すなわち、Ｐ≦Ｍであり、その少なくとも２つの磁着部材３０はそれぞれ、結合フレーム１３の内部、且つ、連通穴１３１の近傍に設置されることが好ましい。
【００２１】
図７及び図８に示すように、本発明の磁性吸着手工具ホルダにおいて、使用者はスリーブ４０や、レンチ５０、ドライバー６０、ラチェットレンチ７０など様々な手工具を挟持部２２に掛止して収納することができ、また、使用者がその手工具を収納している手工具ホルダを、結合フレーム１３上の磁性座３１によって、ツールワゴン８０またはツールボードに磁性吸着させるが、そのツールボードは、普通の鉄板であればよい。そのため、本発明に係る磁性吸着手工具ホルダは、ファスナーがなくても簡単にツールワゴン８０やツールボードに吸着させて掛止することができるので、ツールワゴン８０やツールボードに放置して収納する空間が不要で収納空間を節約することができる。
【符号の説明】
【００２２】
１０      レールプレート
１１      ベース
１２      レール
１２１    アーム
１２２    貫通溝
１３      結合フレーム
１３１    連通穴
２０      保持部材
２１      フック部
２２      挟持部
２３１    延出部
２３２    位置決め柱
２４      掛止リブ
２５１    延出部
２５２    位置決め柱
２５３    フック
２６１    挿設穴
２６２    挿設凹部
２６３    結合溝
２７１    挿設穴
２７２    結合溝
２７３    凹み部
２８１    爪部
２８２    側板
２８３    締め部材
２８４    挟み板
３０      磁着部材
３１      磁性座
３１１    本体
３１２    凸縁
３２      位置決め座
３２１    位置決め溝
３２２    突出部
４０      スリーブ
５０      レンチ
６０      ドライバー
６１      首部
７０      ラチェットレンチ
８０      ツールワゴン
【図１】
0005953638.tif 000002
【図２】
0005953638.tif 000003
【図３】
0005953638.tif 000004
【図４】
0005953638.tif 000005
【図４Ａ】
0005953638.tif 000006
【図５】
0005953638.tif 000007
【図６】
0005953638.tif 000008
【図７】
0005953638.tif 000009
【図８】
0005953638.tif 000010